(57)【要約】【課題】ユーザが所望する複数のコンテンツを所望の再生モードで再生するための設定を簡単な操作で行うことが可能な「コンテンツ再生装置および再生モード設定方法」を提供する。【解決手段】記録媒体１４０に記録された複数の楽曲コンテンツ毎に関連付けられたアルバムジャケット画像３００〜４４０を表示パネル１６０ａに表示し、タッチパネル１６０ｂに対するユーザのなぞり操作に基づいてアルバムジャケット画像３００，３２０，３８０，４００を指定し、その指定したアルバムジャケット画像３００，３２０，３８０，４００に関連付けられた楽曲コンテンツをなぞり操作に応じた再生モードで再生するための設定を行うことにより、複数の楽曲コンテンツを選択して所望の再生モードで再生するため、なぞり操作という１種類の操作を１つの画面で行えば良く、全く異なる複数種類の操作を複数の画面でそれぞれ行う必要がなくなるようにする。【選択図】図２
2012022753.tif 000002
【特許請求の範囲】
【請求項１】
記録媒体に記録されている１または複数のコンテンツ毎に関連付けられたコンテンツ画像を表示部に表示するように制御する表示制御部と、
前記表示部の前面に重ね合わされたタッチパネルに対するユーザのなぞり操作を受け付ける操作受付部と、
前記操作受付部により受け付けられたなぞり操作に基づいて１以上のコンテンツ画像を指定するとともに、当該指定したコンテンツ画像に関連付けられたコンテンツを前記なぞり操作に応じた再生モードで再生するための設定を行う再生モード設定部とを備えたことを特徴とするコンテンツ再生装置。
【請求項２】
請求項１に記載のコンテンツ再生装置において、
前記再生モード設定部は、前記操作受付部により前記なぞり操作が再度受け付けられた場合、前記指定したコンテンツ画像に関連付けられたコンテンツを、前記再生モードとは異なる別の再生モードで再生するための設定を行うことを特徴とするコンテンツ再生装置。
【請求項３】
請求項１に記載のコンテンツ再生装置において、
前記なぞり操作は、前記タッチパネルに最初にタッチした位置を起点として、前記タッチパネルにタッチしたままの状態で前記タッチ位置を動かした後、前記起点付近にタッチ位置を戻す操作であり、
前記再生モード設定部は、前記操作受付部により最初に受け付けられた前記なぞり操作に基づいて１以上のコンテンツ画像を指定するとともに、当該指定したコンテンツ画像に関連付けられたコンテンツを前記なぞり操作に応じた再生モードで再生するための設定を行い、前記タッチパネルにタッチしたままの状態での前記なぞり操作が前記操作受付部により再度受け付けられた場合、前記指定したコンテンツ画像に関連付けられたコンテンツを、前記再生モードとは異なる別の再生モードで再生するための設定を行うことを特徴とするコンテンツ再生装置。
【請求項４】
請求項２または３に記載のコンテンツ再生装置において、
前記記録媒体に記録されているコンテンツは、複数の分類項目の各々ごとに分類されており、
前記再生モードは、前記再生モード設定部により指定されたコンテンツ画像に関連付けられたコンテンツを、前記複数の分類項目に含まれる一の分類項目の単位でランダムに並び替え、その並び替えた順に再生するモードであり、
前記別の再生モードは、前記再生モード設定部により指定されたコンテンツ画像に関連付けられたコンテンツを、前記一の分類項目とは別の分類項目の単位でランダムに並び替え、その並び替えた順に再生するモードであり、
前記表示制御部は、前記操作受付部により前記なぞり操作が再度受け付けられた場合、前記再生モード設定部により指定されたコンテンツ画像の各々を、前記再生モード設定部により設定された前記別の再生モードに応じた数に分割し前記表示部に表示するように制御することを特徴とするコンテンツ再生装置。
【請求項５】
記録媒体に記録されている１または複数のコンテンツ毎に関連付けられたコンテンツ画像を表示部に表示するように制御する第１のステップと、
前記表示部の前面に重ね合わされたタッチパネルに対するユーザのなぞり操作を受け付ける第２のステップと、
前記第２のステップにより受け付けられたなぞり操作に基づいて１以上のコンテンツ画像を指定するとともに、当該指定したコンテンツ画像に関連付けられたコンテンツを前記なぞり操作に応じた再生モードで再生するための設定を行う第３のステップとを有することを特徴とする再生モード設定方法。
【発明の詳細な説明】
【技術分野】
【０００１】
本発明は、コンテンツ再生装置および再生モード指定方法に関し、例えば、１以上のコンテンツをユーザ所望の再生モードで再生する機能を備えたコンテンツ再生装置に用いて好適なものである。
【背景技術】
【０００２】
近年、音楽や動画、静止画などのコンテンツを再生するコンテンツ再生装置では、大容量の記憶媒体に膨大な数のコンテンツを格納し、その中からユーザが選んだ所望のコンテンツを再生することができるようになっている。また、ユーザが選んだ複数のコンテンツをランダムな順番に再生することもできる。
【０００３】
所望のコンテンツを選んでランダム再生する場合、具体的には、ユーザは、再生対象のコンテンツとして複数のコンテンツを選択し、その選択したコンテンツをプレイリストに登録する操作をコンテンツ再生装置に対して行う。次に、ユーザは、プレイリストに登録したコンテンツをランダム再生モードで再生するための設定操作をコンテンツ再生装置に対して行う。これにより、コンテンツ再生装置は、プレイリストに登録されている全てのコンテンツをランダムな順番で再生することができる。
【０００４】
なお、ランダム再生に関連する技術として、記録媒体に記録された楽曲等の再生用データを短時間で効率よくランダム再生できるようにした技術が開示されている（例えば、特許文献１を参照）。特許文献１に記載の技術では、記録媒体に記録された再生用データを複数のグループに分割し、その分割したグループ毎にランダム再生を行うことにより、ランダム再生時に選曲対象となる曲数を減らし、１曲の再生が終了したときに、次に再生する対象の再生用データを選曲するのにかかる時間を短縮できるようにしている。
【先行技術文献】
【特許文献】
【０００５】
【特許文献１】特開２００４−１７８７２７号公報
【発明の概要】
【発明が解決しようとする課題】
【０００６】
しかしながら、従来のコンテンツ再生装置では、ユーザが所望する複数のコンテンツをランダム再生モードで再生するための設定を行うために、当該複数のコンテンツをプレイリストに登録するための操作、および、プレイリストに登録したコンテンツをランダム再生モードで再生する設定を行うための操作をそれぞれ別の画面で別々に行う必要があり、操作が煩雑で手間がかかるという問題があった。
【０００７】
なお、上述した特許文献１においては、記録媒体に記録された複数の再生用データをランダム再生する場合、次の再生用データの選曲にかかる時間を短縮することについての言及はあるが、複数のコンテンツを選択してランダム再生モードで再生するための設定を行う場合における操作性を向上することについての言及はない。すなわち、上記特許文献１に記載の技術では、上記問題を解決することはできない。
【０００８】
本発明は、このような問題を解決するために成されたものであり、ユーザが所望する複数のコンテンツを所望の再生モードで再生するための設定を、簡単な操作で行うことができるようにすることを目的とする。
【課題を解決するための手段】
【０００９】
上記した課題を解決するために、本発明では、記録媒体に記録された１または複数のコンテンツ毎に関連付けられたコンテンツ画像を表示する。そして、タッチパネルに対するユーザのなぞり操作に基づいて１以上のコンテンツ画像を指定するとともに、当該指定したコンテンツ画像に関連付けられたコンテンツをなぞり操作に応じた再生モードで再生するための設定を行うようにしている。
【発明の効果】
【００１０】
上記のように構成した本発明によれば、タッチパネルを介して行われるなぞり操作だけで、ユーザが所望する１以上のコンテンツ画像が指定されるとともに、その指定されたコンテンツ画像に関連付けられたコンテンツをユーザが所望する再生モードで再生するための設定が行われる。すなわち、１以上のコンテンツを選択して所望の再生モードで再生するため、なぞり操作という１種類の操作を１つの画面で行えば良く、従来技術のように、全く異なる複数種類の操作を複数の画面でそれぞれ行う必要がなくなる。これにより、ユーザが所望する１以上のコンテンツを選択して所望の再生モードで再生するための設定を、簡単な操作で行うことができる。
【図面の簡単な説明】
【００１１】
【図１】本実施形態によるコンテンツ再生装置を備えたコンテンツ再生システムの構成例を示すブロック図である。
【図２】本実施形態による再生モードの設定例を示す図である。
【図３】本実施形態による再生モードを説明するための模式図である。
【図４】本実施形態によるコンテンツ再生装置の動作例を示すフローチャートである。
【図５】本実施形態による再生モードの設定の変形例を示す図である。
【発明を実施するための形態】
【００１２】
以下、本発明の実施形態（以下、「本実施形態」という）を図面に基づいて説明する。図１は、本実施形態によるコンテンツ再生装置１００を備えたコンテンツ再生システム１２０の構成例を示すブロック図である。図１に示すように、コンテンツ再生システム１２０は、コンテンツ再生装置１００の他に、記録媒体１４０、ディスプレイ１６０およびスピーカ１８０を備えて構成されている。また、ディスプレイ１６０は、表示パネル１６０ａ（本発明の表示部に対応）およびタッチパネル１６０ｂを備えている。
【００１３】
コンテンツ再生装置１００は、コンテンツ再生システム１２０で利用される複数の楽曲コンテンツ（本発明のコンテンツに対応）をユーザ所望の再生モードで再生できるようにするものである。コンテンツ再生装置１００は、アルバムランダム再生モード、ジャンルランダム再生モード、アーティストランダム再生モード、楽曲ランダム再生モードなど、異なる再生条件に従って各楽曲コンテンツを再生するための複数の再生モードを有している。図１に示すように、コンテンツ再生装置１００は、表示制御部２００、操作受付部２２０、再生モード設定部２４０および再生制御部２６０を備えている。
【００１４】
記録媒体１４０は、例えばハードディスク、半導体メモリ等であり、複数の音楽アルバムに収録されている複数の楽曲コンテンツの音楽データを記憶している。各音楽データには、アルバム名、ジャンル名、アーティスト名、楽曲名などのデータが属性情報として付加されている。これにより、複数の音楽アルバムに収録されている複数の楽曲コンテンツが、複数の分類項目（アルバム、ジャンル、アーティスト、楽曲）の各々ごとに分類される。つまり、どの楽曲コンテンツがどの音楽アルバムに属するものであるかとか、どの楽曲コンテンツがどのジャンルに属するものであるとか、どの楽曲コンテンツがどのアーティストによるものであるかを識別することが可能となっている。また、記録媒体１４０は、複数の音楽アルバムの各々に関連付けられたアルバムジャケット画像（本発明のコンテンツ画像に対応）を記憶している。
【００１５】
表示パネル１６０ａは、コンテンツ再生装置１００から出力されたデータに基づいて、再生モード設定画面を表示する。ユーザは、再生モード設定画面を介して、記録媒体１４０に記録された複数の音楽アルバムに収録されている楽曲コンテンツをユーザ所望の再生モードで再生するための設定を行う。タッチパネル１６０ｂは、表示パネル１６０ａの前面に重ね合わされ、ユーザによるタッチ操作やなぞり操作を検出する。ここで、なぞり操作とは、ユーザがタッチパネル１６０ｂにタッチしたままタッチ位置を移動させる操作である。スピーカ１８０は、再生制御部２６０により再生された楽曲コンテンツの音楽データに基づく音声を外部に出力する。
【００１６】
表示制御部２００は、再生モード設定画面を表示することを要求する設定画面表示要求を操作受付部２２０から受けた場合、再生モード設定画面を表示パネル１６０ａに表示するように制御する。図２（ａ）に示すように、再生モード設定画面には、記録媒体１４０に記録されたアルバムジャケット画像３００〜４４０が含まれる。また、表示制御部２００は、再生モード設定画面を表示する表示パネル１６０ａにおいて、どの位置にどのアルバムジャケット画像を表示しているかを示す表示位置情報を再生モード設定部２４０に出力する。
【００１７】
また、表示制御部２００は、再生モード設定部２４０から出力された指定情報により示されるアルバムジャケット画像の各々を、再生モード設定部２４０から出力された再生モード情報により示される再生モードに応じた数に分割し表示パネル１６０ａに表示するように制御する。指定情報は、タッチパネル１６０ｂに対するなぞり操作に応じて再生モード設定部２４０により指定されたアルバムジャケット画像を示している。
【００１８】
具体的には、表示制御部２００は、再生モードがジャンルランダム再生モード、アーティストランダム再生モードおよび楽曲ランダム再生モードの何れであるかに応じて、タッチパネル１６０ｂに対するなぞり操作によって指定されたアルバムジャケット画像の各々をそれぞれ２つ、４つ、８つに分割し表示パネル１６０ａに表示する。
【００１９】
図２（ｄ）は、再生モードがアーティストランダム再生モードである場合、アルバムジャケット画像３００〜４４０のうち、再生モード設定部２４０から出力された指定情報により示されるアルバムジャケット画像３００，３２０，３８０，４００をそれぞれ４つに分割し表示パネル１６０ａに表示した例を示している。
【００２０】
操作受付部２２０は、タッチパネル１６０ｂに対するユーザの操作を受け付ける。例えば、操作受付部２２０は、再生モード設定画面を表示パネル１６０ａに表示するための操作（例えば、タッチパネル１６０ｂを介して、表示パネル１６０ａに表示されている再生モード設定キーにタッチする操作）を受け付ける。この場合、操作受付部２２０は、再生モード設定画面を表示することを要求する設定画面表示要求を表示制御部２００に出力する。
【００２１】
また、操作受付部２２０は、表示パネル１６０ａに再生モード設定画面が表示されている場合、タッチパネル１６０ｂに対するユーザのなぞり操作を受け付ける。具体的には、操作受付部２２０は、再生モード設定画面に含まれる１以上のアルバムジャケット画像を指定するための第１のなぞり操作を受け付ける。例えば、図２（ｂ）に示すように、操作受付部２２０は、再生モード設定画面に含まれるアルバムジャケット画像３００，３２０，３８０，４００を指定するための第１のなぞり操作を受け付ける。
【００２２】
ここで、第１のなぞり操作とは、ユーザがタッチパネル１６０ｂにタッチしたまま、略閉領域（例えば、円形、三角形、四角形など）を描くようにタッチ位置を移動させる操作である。つまり、略閉領域を描くようにタッチ位置を移動させる操作とは、最初にタッチした位置付近にタッチ位置が戻るようにタッチ位置を移動させる操作である。そして、操作受付部２２０は、第１のなぞり操作によりタッチパネル１６０ｂのどの位置がなぞられたかを示すなぞり位置情報を再生モード設定部２４０に出力する。
【００２３】
その後、操作受付部２２０は、図２（ｃ）に示すように、タッチパネル１６０ｂに対するユーザの第２のなぞり操作を受け付ける毎に、第２のなぞり操作を受け付けた旨を再生モード設定部２４０に通知する。ここで、第２のなぞり操作とは、ユーザがタッチパネル１６０ｂにタッチしたまま、略閉領域（例えば、円形、三角形、四角形など）を描くようにタッチ位置を移動させる操作である。なお、第２のなぞり操作を行う表示パネル１６０ａ上の場所は、第１のなぞり操作を行う表示パネル１６０ａ上の場所と異なっても良い。その理由は、第２のなぞり操作が、アルバムジャケット画像を指定することを目的とする操作ではなく、楽曲コンテンツの再生モードを変更することを目的とする操作だからである。
【００２４】
再生モード設定部２４０は、表示制御部２００から出力された表示位置情報と操作受付部２２０から出力されたなぞり位置情報とに基づいて、第１のなぞり操作によってなぞられたアルバムジャケット画像を指定する。再生モード設定部２４０は、アルバムジャケット画像の少なくとも一部がなぞられたら、第１のなぞり操作によってなぞられたものとして当該アルバムジャケット画像を指定する。そして、再生モード設定部２４０は、指定したアルバムジャケット画像を示す指定情報を表示制御部２００に出力する。また、再生モード設定部２４０は、指定したアルバムジャケット画像に関連付けられた音楽アルバムに属する楽曲コンテンツをアルバムランダム再生モードで再生するための設定を行う。
【００２５】
その後、再生モード設定部２４０は、所定時間（例えば、１秒）以内に第２のなぞり操作を受け付けた旨を操作受付部２２０から受けなかった場合、指定したアルバムジャケット画像に関連付けられた音楽アルバムをランダムに並び替え、その並び替えた順に音楽アルバムを選択して、各音楽アルバムに属する複数の楽曲コンテンツを記録媒体１４０に記録されている順に再生するための再生リスト情報を生成する。そして、再生モード設定部２４０は、生成した再生リスト情報を再生制御部２６０に出力する。
【００２６】
また、再生モード設定部２４０は、アルバムランダム再生モードの設定を行った後に、所定時間以内に第２のなぞり操作を受け付けた旨を操作受付部２２０から受ける毎に、指定したアルバムジャケット画像に関連付けられた音楽アルバムに属する楽曲コンテンツを再生する際の再生モードを、ジャンルランダム再生モード、アーティストランダム再生モード、楽曲ランダム再生モードの順番で変更して再生モードの設定を行う。
【００２７】
例えば、再生モード設定部２４０は、第２のなぞり操作が１回行われた場合、ジャンルランダム再生モードに変更して再生モードの設定を行う。この場合、再生モード設定部２４０は、指定したアルバムジャケット画像に関連付けられた音楽アルバムに属する楽曲コンテンツのジャンルをランダムに並び替え、その並び替えた順にジャンルを選択して、各ジャンルに属する楽曲コンテンツを記録媒体１４０に記録されている順に再生するための再生リスト情報を生成する。そして、再生モード設定部２４０は、生成した再生リスト情報を再生制御部２６０に出力する。
【００２８】
また、再生モード設定部２４０は、第２のなぞり操作が２回行われた場合、アーティストランダム再生モードに変更して再生モードの設定を行う。この場合、再生モード設定部２４０は、指定したアルバムジャケット画像に関連付けられた音楽アルバムに属する楽曲コンテンツのアーティストをランダムに並び替え、その並び替えた順にアーティストを選択して、各アーティストによる楽曲コンテンツを記録媒体１４０に記録されている順に再生するための再生リスト情報を生成する。そして、再生モード設定部２４０は、生成した再生リスト情報を再生制御部２６０に出力する。
【００２９】
また、再生モード設定部２４０は、第２のなぞり操作が３回行われた場合、楽曲ランダム再生モードに変更して再生モードの設定を行う。この場合、再生モード設定部２４０は、指定したアルバムジャケット画像に関連付けられた音楽アルバムに属する楽曲コンテンツをランダムに並び替え、その並び替えた順に当該楽曲コンテンツを再生するための再生リスト情報を生成する。そして、再生モード設定部２４０は、生成した再生リスト情報を再生制御部２６０に出力する。また、再生モード設定部２４０は、設定を行った再生モードを示す再生モード情報を表示制御部２００に出力する。
【００３０】
ここで、本実施形態の再生モード設定部２４０により設定される再生モードについて具体例を挙げて説明する。図３は、本実施形態による再生モードを説明するための模式図である。図３に示すように、記録媒体１４０には、複数の音楽アルバムＡ，Ｂに収録されている複数の楽曲コンテンツＡ〜Ｈの音楽データが楽曲コンテンツＡ，Ｂ，Ｃ，Ｄ，Ｅ，Ｆ，Ｇ，Ｈの順番で記憶されているものとする。具体的には、楽曲コンテンツＡ〜Ｄが音楽アルバムＡに属している。また、楽曲コンテンツＥ〜Ｈが音楽アルバムＢに属している。また、楽曲コンテンツＡ，ＢがジャンルＡに属している。また、楽曲コンテンツＣ，ＤがジャンルＢに属している。また、楽曲コンテンツＥ〜ＨがジャンルＣに属している。また、楽曲コンテンツＡ〜ＣがアーティストＡによるものである。また、楽曲コンテンツＤがアーティストＢによるものである。また、楽曲コンテンツＥ，ＦがアーティストＣによるものである。また、楽曲コンテンツＧ，ＨがアーティストＤによるものである。
【００３１】
例えば、再生モード設定部２４０は、音楽アルバムＡ，Ｂに属する楽曲コンテンツＡ〜Ｈをアルバムランダム再生モードで再生するための設定を行う場合、音楽アルバムＡ，Ｂをランダムに並び替え、その並び替えた順に音楽アルバムを選択して、各音楽アルバムに属する複数の楽曲コンテンツを記録媒体１４０に記録されている順に再生するための再生リスト情報を生成する。例えば、再生モード設定部２４０は、音楽アルバムＡ，ＢをアルバムＢ，Ａの順に並び替えた場合、楽曲コンテンツＥ，Ｆ，Ｇ，Ｈ，Ａ，Ｂ，Ｃ，Ｄの順に再生するための再生リスト情報を生成する。
【００３２】
また、再生モード設定部２４０は、音楽アルバムＡ，Ｂに属する楽曲コンテンツＡ〜Ｈをジャンルランダム再生モードで再生するための設定を行う場合、音楽アルバムＡ，Ｂに属する楽曲コンテンツＡ〜ＨのジャンルＡ〜Ｃをランダムに並び替え、その並び替えた順にジャンルを選択して、各ジャンルに属する楽曲コンテンツを記録媒体１４０に記録されている順に再生するための再生リスト情報を生成する。例えば、再生モード設定部２４０は、ジャンルＡ〜ＣをジャンルＢ，Ａ，Ｃの順に並び替えた場合、楽曲コンテンツＣ，Ｄ，Ａ，Ｂ，Ｅ，Ｆ，Ｇ，Ｈの順に再生するための再生リスト情報を生成する。
【００３３】
また、再生モード設定部２４０は、音楽アルバムＡ，Ｂに属する楽曲コンテンツＡ〜Ｈをアーティストランダム再生モードで再生するための設定を行う場合、音楽アルバムＡ，Ｂに属する楽曲コンテンツＡ〜ＨのアーティストＡ〜Ｄをランダムに並び替え、その並び替えた順にアーティストを選択して、各アーティストによる楽曲コンテンツを記録媒体１４０に記録されている順に再生するための再生リスト情報を生成する。例えば、再生モード設定部２４０は、アーティストＡ〜ＤをアーティストＤ，Ｂ，Ｃ，Ａの順に並び替えた場合、楽曲コンテンツＧ，Ｈ，Ｃ，Ｄ，Ｅ，Ｆ，Ａ，Ｂの順に再生するための再生リスト情報を生成する。
【００３４】
また、再生モード設定部２４０は、音楽アルバムＡ，Ｂに属する楽曲コンテンツＡ〜Ｈを楽曲ランダム再生モードで再生するための設定を行う場合、楽曲コンテンツＡ〜Ｈをランダムに並び替え、その並び替えた順に楽曲コンテンツを再生するための再生リスト情報を生成する。
【００３５】
再生制御部２６０は、再生モード設定部２４０から出力された再生リスト情報により示される内容に従って楽曲コンテンツの音楽データを記録媒体１４０から読み出し、読み出した楽曲コンテンツの音楽データを再生するように制御する。
【００３６】
次に、本実施形態によるコンテンツ再生装置１００の動作について説明する。図４は、本実施形態によるコンテンツ再生装置１００の動作例を示すフローチャートである。図４に示すフローチャートは、再生モード設定画面を表示することを要求する設定画面表示要求を操作受付部２２０から出力されることにより開始する。
【００３７】
まず、表示制御部２００は、再生モード設定画面を表示パネル１６０ａに表示するように制御する（ステップＳ１００）。そして、表示制御部２００は、再生モード設定画面を表示する表示パネル１６０ａにおいて、どの位置にどのアルバムジャケット画像を表示しているかを示す表示位置情報を再生モード設定部２４０に出力する。次に、操作受付部２２０は、再生モード設定画面に含まれる１以上のアルバムジャケット画像を指定するための第１のなぞり操作を受け付けたか否かについて判定する（ステップＳ１２０）。もし、第１のなぞり操作を受け付けていないと操作受付部２２０にて判定した場合（ステップＳ１２０にてＮＯ）、処理はステップＳ１２０に遷移する。
【００３８】
一方、第１のなぞり操作を受け付けたと操作受付部２２０にて判定した場合（ステップＳ１２０にてＹＥＳ）、操作受付部２２０は、第１のなぞり操作によりタッチパネル１６０ｂのどの位置がなぞられたかを示すなぞり位置情報を再生モード設定部２４０に出力する。
【００３９】
次に、再生モード設定部２４０は、表示制御部２００から出力された表示位置情報と操作受付部２２０から出力されたなぞり位置情報とに基づいて、第１のなぞり操作によってなぞられたアルバムジャケット画像を指定する（ステップＳ１４０）。そして、再生モード設定部２４０は、指定したアルバムジャケット画像を示す指定情報を表示制御部２００に出力する。次に、再生モード設定部２４０は、指定したアルバムジャケット画像に関連付けられた音楽アルバムに属する楽曲コンテンツをアルバムランダム再生モードで再生するための設定を行う（ステップＳ１６０）。
【００４０】
次に、再生モード設定部２４０は、所定時間（例えば、１秒）以内に第２のなぞり操作を受け付けた旨の通知を操作受付部２２０から受けたか否かについて判定する（ステップＳ１８０）。もし、第２のなぞり操作を受け付けた旨の通知を受けたと再生モード設定部２４０にて判定した場合（ステップＳ１８０にてＹＥＳ）、再生モード設定部２４０は、ステップＳ１４０にて指定したアルバムジャケット画像に関連付けられた音楽アルバムに属する楽曲コンテンツの再生モードを次の再生モードに変更する（ステップＳ２００）。そして、再生モード設定部２４０は、変更後の再生モードを示す再生モード情報を表示制御部２００に出力する。
【００４１】
次に、表示制御部２００は、再生モード設定部２４０から出力された指定情報により示されるアルバムジャケット画像の各々を、再生モード設定部２４０から出力された再生モード情報により示される再生モードに応じた数に分割し表示パネル１６０ａに表示するように制御する（ステップＳ２２０）。その後、処理はステップＳ１８０に遷移する。
【００４２】
一方、所定時間以内に第２のなぞり操作を受け付けた旨の通知を受けていないと再生モード設定部２４０にて判定した場合（ステップＳ１８０にてＮＯ）、再生モード設定部２４０は、指定したアルバムジャケット画像に関連付けられた音楽アルバムに属する楽曲コンテンツを、現在設定している再生モードで再生するための再生リスト情報を生成する（ステップＳ２４０）。そして、再生モード設定部２４０は、生成した再生リスト情報を再生制御部２６０に出力する。
【００４３】
次に、再生制御部２６０は、再生モード設定部２４０から出力された再生リスト情報により示される内容に従って楽曲コンテンツの音楽データを記録媒体１４０から読み出し、読み出した楽曲コンテンツの音楽データを再生するように制御する（ステップＳ２６０）。
【００４４】
最後に、再生制御部２６０は、再生リスト情報により示される再生対象の楽曲コンテンツを全て再生したか否かについて判定する（ステップＳ２８０）。もし、再生対象の楽曲コンテンツを全て再生していないと再生制御部２６０にて判定した場合（ステップＳ２８０にてＮＯ）、処理はステップＳ２６０に遷移する。一方、再生対象の楽曲コンテンツを全て再生したと再生制御部２６０にて判定した場合（ステップＳ２８０にてＹＥＳ）、コンテンツ再生装置１００は図４における処理を終了する。
【００４５】
以上詳しく説明したように、本実施形態では、記録媒体１４０に記録された複数の楽曲コンテンツ毎に関連付けられたアルバムジャケット画像３００〜４４０を含む再生モード設定画面を表示パネル１６０ａに表示する。そして、タッチパネル１６０ｂに対するユーザの第１のなぞり操作に基づいて、１以上のアルバムジャケット画像３００，３２０，３８０，４００の指定と、これらに関連付けられた楽曲コンテンツをアルバムランダム再生モードで再生するための設定とを行っている。
【００４６】
このように構成した本実施形態によれば、タッチパネル１６０ｂを介して行われる第１のなぞり操作だけで、ユーザが所望するアルバムジャケット画像３００，３２０，３８０，４００を選択して当該アルバムジャケット画像３００，３２０，３８０，４００に関連付けられた楽曲コンテンツをユーザが所望するアルバムランダム再生モードで再生するための設定が行われる。すなわち、１以上の楽曲コンテンツを選択して所望の再生モードで再生するため、第１のなぞり操作という１種類の操作を１つの画面で行えば良く、全く異なる複数種類の操作を複数の画面でそれぞれ行う必要がなくなる。これにより、ユーザが所望する１以上の楽曲コンテンツを選択して所望の再生モードで再生するための設定を、簡単な操作で行うことができる。
【００４７】
また、本実施形態では、操作受付部２２０により第２のなぞり操作が受け付けられた場合、第１のなぞり操作で指定された複数のアルバムジャケット画像３００，３２０，３８０，４００に関連付けられた楽曲コンテンツをアルバムランダム再生モードとは異なる別の再生モード（ジャンルランダム再生モード、アーティストランダム再生モードまたは楽曲ランダム再生モード）で再生するための設定を行うようにしている。このようにすれば、指定された１以上のアルバムジャケット画像３００，３２０，３８０，４００に関連付けられた楽曲コンテンツを再生する際の再生モードを変更するため、第１のなぞり操作を行ったのと同じ画面上で第２のなぞり操作という１種類の操作を第１のなぞり操作から続けて行えば良く、全く異なる複数種類の操作を複数の画面でそれぞれ行う必要がなくなる。これにより、ユーザが所望する複数の楽曲コンテンツを再生する際の再生モードを変更する設定を簡単な操作で行うことができる。
【００４８】
また、本実施形態では、操作受付部２２０により第２のなぞり操作が受け付けられた場合、第１のなぞり操作で指定された１以上のアルバムジャケット画像３００，３２０，３８０，４００の各々を、第２のなぞり操作の回数に応じて再生モード設定部２４０により設定された再生モードに応じた数に分割して表示パネル１６０ａに表示するようにしている。このようにすれば、分割後のアルバムジャケット画像３００，３２０，３８０，４００の各小片の大きさが、再生モード設定部２４０により設定された再生モードにおいて楽曲コンテンツを並び替える単位（ジャンル、アーティストまたは楽曲）の大きさと対応する。このため、ユーザは、分割後のアルバムジャケット画像３００，３２０，３８０，４００の各小片の大きさを見ることにより、どの程度の単位で楽曲コンテンツが並び替えられて再生されるのかを直感的に把握することができる。
【００４９】
なお、上記実施形態では、第１のなぞり操作の後で第２のなぞり操作が受け付けられる都度、再生モードを変更する例について説明したが、本発明はこれに限定されない。例えば、タッチパネル１６０ｂにタッチしたままの状態で、なぞり操作の最初にタッチした位置である起点付近にタッチ位置が戻る都度、再生モードを変更するようにしても良い。このようにすれば、１回のなぞり操作で複数回なぞり操作を行ったことと同じ効果が得られ、第１のなぞり操作と第２のなぞり操作とを個別に複数回行う場合に比べて、迅速に再生モードの変更を行うことができる。
【００５０】
また、上記実施形態において、再生モード設定部２４０は、ジャンルランダム再生モードまたはアーティストランダム再生モードを設定する場合、並び替える対象（ジャンルまたはアーティスト）が１つしかないときは、その再生モードは飛ばして、次の再生モード（ジャンルが１つしかないときはアーティストランダム再生モード、アーティストが１つしかないときは楽曲ランダム再生モード）の設定を行うようにしても良い。このようにすれば、再生モードを変更するために第２のなぞり操作をしたにもかかわらず、指定された複数の音楽アルバムに属する楽曲コンテンツが記録媒体１４０の記録順で再生される（すなわち、ユーザの意図に沿わない再生が行われる）ことを回避することができる。
【００５１】
また、上記実施形態では、コンテンツ再生装置１００における再生対象が楽曲コンテンツである例について説明したが、本発明はこれに限定されない。例えば、コンテンツ再生装置１００における再生対象が動画コンテンツや静止画コンテンツであっても良い。ここで、コンテンツ再生装置１００における再生対象が静止画コンテンツである場合について図５を参照しながら説明する。
【００５２】
図５は、本実施形態による再生モードの設定の変形例を示す図である。図５に示すように、複数の静止画コンテンツをそれぞれ低解像度で表したアイコン画像（本発明のコンテンツ画像に対応）５００〜７２０が表示パネル１６０ａに表示されている。再生モード設定部２４０は、タッチパネル１６０ｂに対するユーザの第１のなぞり操作に基づいて指定されたアイコン画像６２０，６４０，７００，７２０に関連付けられた静止画コンテンツを第１のなぞり操作に応じたスライドショーモード（表示時間間隔：６秒）で再生するための設定を行う。
【００５３】
また、操作受付部２２０により第２のなぞり操作が受け付けられた場合、第１のなぞり操作で指定されたアイコン画像６２０，６４０，７００，７２０に関連付けられた静止画コンテンツを、スライドショーモード（表示時間間隔：６秒）とは異なる別の再生モード（スライドショーモード（表示時間間隔：４秒）、スライドショーモード（表示時間間隔：２秒）またはスライドショーモード（表示時間間隔：１秒）の何れか）で再生するための設定を行う。
【００５４】
また、上記実施形態では、第１のなぞり操作によってなぞられたアルバムジャケット画像に対応する音楽アルバムを再生対象として指定する例について説明したが、本発明はこれに限定されない。例えば、第１のなぞり操作によってなぞられた位置の軌跡により画定される略閉領域の中に含まれるアルバムジャケット画像に対応する音楽アルバムを再生対象として指定しても良い。
【００５５】
また、上記実施形態において、第１のなぞり操作が、ユーザがタッチパネル１６０ｂにタッチしたまま、略閉領域を描くようにタッチ位置を移動させる操作である例について説明したが、本発明はこれに限定されない。例えば、第１のなぞり操作は、必ずしも略閉領域を描く必要はなく、ユーザがタッチパネル１６０ｂにタッチしたまま、タッチ位置を任意の軌跡で連続的に移動させる操作でも良い。第２のなぞり操作についても同様である。
【００５６】
その他、上記実施形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００５７】
１００  コンテンツ再生装置
１４０  記録媒体
１６０ａ  表示パネル（表示部）
１６０ｂ  タッチパネル
２００  表示制御部
２２０  操作受付部
２４０  再生モード設定部
【図１】
2012022753.tif 000003
【図２】
2012022753.tif 000004
【図３】
2012022753.tif 000005
【図４】
2012022753.tif 000006
【図５】
2012022753.tif 000007